(57)【特許請求の範囲】
【請求項１】
回転爪軸（Ｓ）のフランジ（Ｓ０）に装着される基部（１）と、
前記回転爪軸（Ｓ）の回転軸線を法線とする面を側面としたとき、
側面視における前記基部（１）から横方向に連なって伸びる横刃湾曲開始部（Ｇ）までの平面板から形成され、前記基部（１）の下縁から段差を介して下方に形成される刃縁を備える縦刃部（２）と、
前記縦刃部（２）から横刃湾曲開始部（Ｇ）を境として連なって伸び、前記縦刃部（２）から先端部（Ｉ）側にかけて、前記基部（１）の幅寸法以上の幅寸法を備えて形成し、側面視において上方へ緩やかに湾曲して形成されるとともに、前記横刃湾曲開始部（Ｇ）を境として一方に湾曲される湾曲板から形成される横刃部（３）とを備えてなり、
前記横刃部（３）は、前記横刃湾曲開始部（Ｇ）に直交する断面視において鈍角をなして湾曲され、
前記横刃部（３）の先端部（Ｉ）は、前記横刃部（３）の下端（Ｉ３）から上方へ延びる第１領域（Ｉ１）と、前記第１領域（Ｉ１）から連続し、内側方向へ湾曲又は屈曲して上端（Ｉ５）へ延びる第２領域（Ｉ２）とを備え、
前記第１領域（Ｉ１）と前記第２領域（Ｉ２）との境界部（Ｉ４）を前記先端部（Ｉ）における幅寸法の略中央部又は略中央部より上方に位置させ、
平面視にて前記基部（１）の面を基準として一方向に湾曲する基準面から前記下端（Ｉ３）までの寸法を湾曲高さ（Ｈ）とし、前記上端（Ｉ５）を前記湾曲高さ（Ｈ）より前記基準面側へ位置させ、
平面視にて前記基準面から前記境界部（Ｉ４）までの寸法が前記湾曲高さ（Ｈ）と略同等となるよう設定されることを特徴とする耕耘爪。
【請求項２】
回転爪軸（Ｓ）のフランジ（Ｓ０）に装着される基部（１）と、
前記回転爪軸（Ｓ）の回転軸線を法線とする面を側面としたとき、
側面視における前記基部（１）から横方向に連なって伸びる横刃湾曲開始部（Ｇ）までの平面板から形成され、前記基部（１）の下縁から段差を介して下方に形成される刃縁を備える縦刃部（２）と、
前記縦刃部（２）から横刃湾曲開始部（Ｇ）を境として連なって伸び、前記縦刃部（２）から先端部（Ｉ）側にかけて、前記基部（１）の幅寸法以上の幅寸法を備えて形成し、側面視において上方へ緩やかに湾曲して形成されるとともに、前記横刃湾曲開始部（Ｇ）を境として一方に湾曲される湾曲板から形成される横刃部（３）とを備えてなり、
前記横刃部（３）は、前記横刃湾曲開始部（Ｇ）に直交する断面視において鈍角をなして湾曲され、
前記横刃部（３）の先端部（Ｉ）は、前記横刃部（３）の下端（Ｉ３）から上方へ延びる第１領域（Ｉ１）と、前記第１領域（Ｉ１）から連続し、内側方向へ湾曲又は屈曲して上端（Ｉ５）へ延びる第２領域（Ｉ２）とを備え、
前記第１領域（Ｉ１）と前記第２領域（Ｉ２）との境界部（Ｉ４）を前記先端部（Ｉ）における幅寸法の略中央部又は略中央部より上方に位置させ、
平面視にて前記基部（１）の面を基準として一方向に湾曲する基準面から前記先端部（Ｉ）における幅寸法の略中央部までの寸法を湾曲高さ（Ｈ）とし、前記上端（Ｉ５）を前記湾曲高さ（Ｈ）より前記基準面側へ位置させることを特徴とする耕耘爪。
【請求項３】
前記基部（１）の最下縁を通る線と前記横刃湾曲開始部Ｇとのなす角度（α２）を鋭角とする請求項１又は請求項２に記載の耕耘爪。
【発明の詳細な説明】
【技術分野】
【０００１】
本発明は、土壌を耕起する耕耘爪に関するものである。
【背景技術】
【０００２】
従来の耕耘爪の形状として、図８に示すように、回転爪軸ＳのフランジＳ０に装着される基部１と、回転爪軸Ｓの回転軸線を法線とする面を側面としたとき、側面視における基部１から横方向に連なって伸びる横刃湾曲開始部Ｇまでの平面板から形成され、基部１の下縁から段差を介して下方に形成される刃縁を備える縦刃部２と、縦刃部２から横刃湾曲開始部Ｇを境として連なって伸び、縦刃部２から先端側にかけて、基部１の幅寸法以上の幅寸法を備えて形成し、側面視において上方へ緩やかに湾曲して形成されるとともに、横刃湾曲開始部Ｇを境として一方に湾曲される湾曲板から形成される横刃部３とを備え、横刃部３が横刃湾曲開始部Ｇに直交する断面視において湾曲角度αが略直角とされ、横刃湾曲開始部Ｇは、基部１における基部幅Ｄの略中央部より下方に設けられる折曲中心を中心とした折曲半径の円弧からなるものが公知である（特許文献１参照）。
【先行技術文献】
【特許文献】
【０００３】
【特許文献１】特許第５６３３８３０号公報
【発明の概要】
【発明が解決しようとする課題】
【０００４】
しかしながら、上記耕耘爪においては、横刃部３が横刃湾曲開始部Ｇに直交する断面視において略直角となる湾曲角度αにて湾曲されるものであるため、土壌に対する細土性に優れるものであるが、土壌への打込み時に大きな負荷変動を伴うため、耕耘振動や消費馬力の増加に問題があった。
【０００５】
また、図９に示すように、耕深Ｖが例えば１０〜１５ｃｍと比較的深い土壌で、耕耘ピッチが大きくなった場合（例えば、回転爪軸の回転数を変えずに耕耘機が進行方向に進む速度が速くなった場合（時速４〜６ｋｍ））の耕耘作業においては、耕耘作業中に耕耘爪における横刃部３の刃縁先端部Ｐが形成する土壌切削後の耕盤表面Ｖ１に横刃部３の外側面が接触し、これによっても耕耘振動が増加するものであり、深耕性においても問題があった。
【０００６】
そこで、本発明はこのような問題点を解決するものであって、土壌への打込み時における負荷変動を抑え、耕耘振動や消費馬力を低減するとともに、放てき性、反転性、深耕性に優れた耕耘爪を提供することを課題とする。
【課題を解決するための手段】
【０００７】
前記問題点を解決するために、本発明の請求項１に記載の耕耘爪は、回転爪軸のフランジに装着される基部と、前記回転爪軸の回転軸線を法線とする面を側面としたとき、側面視における前記基部から横方向に連なって伸びる横刃湾曲開始部までの平面板から形成され、前記基部の下縁から段差を介して下方に形成される刃縁を備える縦刃部と、前記縦刃部から横刃湾曲開始部を境として連なって伸び、前記縦刃部から先端部側にかけて、前記基部の幅寸法以上の幅寸法を備えて形成し、側面視において上方へ緩やかに湾曲して形成されるとともに、前記横刃湾曲開始部を境として一方に湾曲される湾曲板から形成される横刃部とを備えてなり、前記横刃部は、前記横刃湾曲開始部に直交する断面視において鈍角をなして湾曲され、前記横刃部の先端部は、前記横刃部の下端から上方へ延びる第１領域と、前記第１領域から連続し、内側方向へ湾曲又は屈曲して上端へ延びる第２領域とを備え、前記第１領域と前記第２領域との境界部を前記先端部における幅寸法の略中央部又は略中央部より上方に位置させ、平面視にて前記基部の面を基準として一方向に湾曲する基準面から前記下端までの寸法を湾曲高さとし、前記上端を前記湾曲高さより前記基準面側へ位置させ、平面視にて前記基準面から前記境界部までの寸法が前記湾曲高さと略同等となるよう設定されるものである。
【０００８】
また、請求項２に記載の耕耘爪は、請求項１に記載の耕耘爪において、回転爪軸のフランジに装着される基部と、前記回転爪軸の回転軸線を法線とする面を側面としたとき、側面視における前記基部から横方向に連なって伸びる横刃湾曲開始部までの平面板から形成され、前記基部の下縁から段差を介して下方に形成される刃縁を備える縦刃部と、前記縦刃部から横刃湾曲開始部を境として連なって伸び、前記縦刃部から先端部側にかけて、前記基部の幅寸法以上の幅寸法を備えて形成し、側面視において上方へ緩やかに湾曲して形成されるとともに、前記横刃湾曲開始部を境として一方に湾曲される湾曲板から形成される横刃部とを備えてなり、前記横刃部は、前記横刃湾曲開始部に直交する断面視において鈍角をなして湾曲され、前記横刃部の先端部は、前記横刃部の下端から上方へ延びる第１領域と、前記第１領域から連続し、内側方向へ湾曲又は屈曲して上端へ延びる第２領域とを備え、前記第１領域と前記第２領域との境界部を前記先端部における幅寸法の略中央部又は略中央部より上方に位置させ、平面視にて前記基部の面を基準として一方向に湾曲する基準面から前記先端部における幅寸法の略中央部までの寸法を湾曲高さとし、前記上端を前記湾曲高さより前記基準面側へ位置させるものである。
【０００９】
また、請求項３に記載の耕耘爪は、請求項１又は請求項２に記載の耕耘爪において、前記基部の最下縁を通る線と前記横刃湾曲開始部とのなす角度を鋭角とするものである。
【発明の効果】
【００１１】
本発明の耕耘爪では、土壌への打込み時における負荷変動を抑え、耕耘振動や消費馬力を低減するとともに、放てき性、反転性、深耕性に優れた耕耘爪となる。
【図面の簡単な説明】
【００１２】
【図１】本発明の実施例における耕耘爪の側面図及び一部Ｘ−Ｘ断面図である。
【図２】本発明の実施例における耕耘爪の耕耘作業中の概略図である。
【図３】本発明の図１の実施例における別仕様の耕耘爪の側面図及び一部Ｘ−Ｘ断面図である。
【図４】本発明の図１の実施例における更に別仕様の耕耘爪の側面図及び一部Ｘ−Ｘ断面図である。
【図５】本発明の別実施例における耕耘爪の側面図及び一部Ｘ−Ｘ断面図である。
【図６】本発明の図５の実施例における別仕様の耕耘爪の側面図及び一部Ｘ−Ｘ断面図である。
【図７】本発明の図５の実施例における更に別仕様の耕耘爪の側面図及び一部Ｘ−Ｘ断面図である。
【図８】従来の耕耘爪の側面図及び一部Ｘ−Ｘ断面図である。
【図９】従来の耕耘爪の耕耘作業中の概略図である。
【発明を実施するための形態】
【００１３】
以下、本発明の実施の形態における耕耘爪を図面に基づいて説明する。当該耕耘爪において、回転爪軸Ｓの回転軌道と正対する面、すなわち回転爪軸Ｓの回転軸線を法線とする面を側面とする。当該側面において、基部が回転爪軸Ｓの軸径方向に伸びるものとしたとき、縦刃部が基部から横方向へ伸びる伸び方向と正対する面を正面方向とする。正面方向から観察した正面視（図示せず）にて、耕耘爪は右方向に湾曲している。また、図１に示すように、側面視にて、耕耘爪は向かって手前方向（紙面の手前方向）に湾曲してなる。
【実施例】
【００１４】
本発明に係る耕耘爪は、図１に示すように、耕耘機におけるロータリー本体の回転爪軸Ｓを軸心とするフランジＳｏに装着されるものである。耕耘爪は、基部１と、基部１から横方向に連なって伸びる縦刃部２と、縦刃部２から横刃湾曲開始部Ｇを境として連なって伸びる横刃部３とが一体的に構成される。
【００１５】
同図に示すように、側面視において、耕耘爪は、基部１から横刃部３にかけて回転爪軸Ｓにおける回転中心Ｓ１の回転方向Ｓ２に対して次第に遠ざかるように湾曲する平面板から形成される。すなわち、当該平面板は、基部１から横刃部３にかけて、上方に向けて緩やかに湾曲して形成される。具体的には、当該平面板は、縦刃部２から横刃部３の先端部Ｉ側にかけて、基部１の幅寸法以上の幅寸法を備えて形成されるとともに、上方に向けて緩やかに湾曲して形成される。当該平面板が横刃湾曲開始部Ｇで湾曲曲率半径ｒにより湾曲されることで耕耘爪は構成される。よって、基部１及び横刃部２は平面板から形成され、横刃部３は湾曲板から形成される。
【００１６】
基部１は、基部の横方向後端位置Ｌから刃縁始端Ｎまでの領域をいう。刃縁始端Ｎは、基部の横方向後端位置Ｌより下方に位置する下縁上であって、基部の下縁後端位置Ｍから下縁に沿って、横方向（図１における向かって左方向）の先端側に位置する。
【００１７】
基部１は、フランジＳｏに取付けることで装着される。基部１には、フランジＳｏに取付けるための取付け孔１ｈが設けられる。取付け孔１ｈは、少なくとも１個又は複数個設けることが望ましいものである。
【００１８】
また、基部１の両側面のうち、湾曲方向と反対側の側面を基準面とする。当該基準面は、横刃部３が湾曲曲率半径ｒにより湾曲された湾曲高さＨについての基準となる。このとき、湾曲曲率半径ｒは、横刃部３に平面部が形成されることがないよう、１つ又は複数の曲率半径から形成することもできる。
【００１９】
縦刃部２は、基部１から横方向に連なって伸びてなり、刃縁始端Ｎから横刃湾曲開始部Ｇまでの領域をいう。縦刃部２の肉厚は、基部１から横刃湾曲開始部Ｇに至るまで同厚としてもよいし、順次厚さが薄くなるよう設定してもよい。また、縦刃部２は下縁に連なる刃を有する。縦刃部２の最下縁は、下縁後端位置Ｍ及び刃縁始端Ｎが位置する基部１の下縁から下方に段差を設けて形成される。
【００２０】
横刃部３は、横刃湾曲開始部Ｇから先端部Ｉまでの全領域をいい、基準面に対して一側方へ連続的に湾曲した湾曲板からなる。当該湾曲板は、側面視において、先端部Ｉに向かって上方に曲がる湾曲した形状である。すなわち、横刃湾曲開始部Ｇを境として縦刃部２と連なり、側面視にて主として横方向へ伸びると共に上方へ湾曲する。
【００２１】
また、横刃部３は、湾曲前の先端部Ｉに向かって基部幅Ｄと略同等か或いは基部幅Ｄより幅広となるよう形成される。例えば、横刃部３は、縦刃部２の刃幅Ｆを含んだ縦刃部２の幅寸法と後述する横刃部先端幅Ｅを略同等の幅寸法になるよう形成してもよいし、縦刃部２の刃幅Ｆを含んだ縦刃部２の幅寸法から横刃部先端幅Ｅにかけて幅広になるよう形成してもよい。ここでいう、縦刃部２の刃幅Ｆを含んだ縦刃部２の幅寸法とは、刃縁始端Ｎにおける近傍の縦刃部２の刃幅をも包含する趣旨である。一方、後述する刃縁始端Ｎにおける近傍の縦刃部２の刃幅を除いた刃幅Ｆは、最大刃幅を示すものである。縦刃部２の刃幅Ｆを含んだ縦刃部２の幅寸法と横刃部先端幅Ｅを略同等に形成した際には、縦刃部２から横刃部３にかけて一定の最大刃幅をもって横刃部３を形成してもよい。横刃部３の肉厚は、横刃湾曲開始部Ｇから先端部Ｉに至るまで同厚としてもよいし、順次厚さが薄くなるよう設定してもよい。
【００２２】
また、湾曲前における横刃部３の先端部Ｉは、横刃部３の下端Ｉ３から上方へ延びる第１領域Ｉ１と、第１領域Ｉ１から連続し、基部１側の内側方向へ湾曲又は屈曲して上端Ｉ５へ延びる第２領域Ｉ２とを備えてなる。また、湾曲前における横刃部３の先端部Ｉは、平面視において、基部１の面を基準として一方向に湾曲する基準面から先端部Ｉにおける幅寸法の下端Ｉ３（第１領域Ｉ１の下端Ｉ３）までの寸法が湾曲高さＨとなるよう形成される。
【００２３】
より詳細には、湾曲前の横刃部３の先端部Ｉは、横刃部３における下端Ｉ３から基部１側の内側方向に向けて上方に延びる第１領域Ｉ１と、第１領域Ｉ１の上端部から更に内側方向へ向けて、湾曲又は屈曲することで連続して形成される第２領域Ｉ２とを備えて形成される。また、第１領域Ｉ１と第２領域Ｉ２との境界部Ｉ４は、先端部Ｉにおける幅寸法の略中央部又は略中央部より上方に位置し、当該下端Ｉ３を通る横刃湾曲開始部Ｇに平行な仮想線Ｇ１に近接するよう設定される。第１領域Ｉ１と第２領域Ｉ２は、１つ又は複数の直線、円弧等を適宜組み合わせることで形成される。
【００２４】
具体的には、図１に示すように、湾曲前の横刃部３において、湾曲高さＨの基点となる先端部Ｉの下端Ｉ３から幅寸法の略中央部までの第１領域Ｉ１を形成する第１直線部Ｊ１と、第１直線部Ｊ１から連続して上端Ｉ５に至るまでの第２領域Ｉ２を形成する円弧部Ｊ２からなる。
【００２５】
第１直線部Ｊ１は、湾曲前の横刃部３における先端部Ｉの下端Ｉ３を通り、横刃湾曲開始部Ｇに平行とされるか、横刃湾曲開始部Ｇに平行な仮想線Ｇ１より内側方向に向けて上方に延び、第１直線部Ｊ１の上端部が当該仮想線Ｇ１に近接するよう延びてなる。また、円弧部Ｊ２は、第１直線部Ｊ１に連続し、更に内側方向へ湾曲してなり、先端部Ｉの上端Ｉ５を通る中心Ｒ０を中心とした半径Ｒ１からなる。このとき、中心Ｒ０は、基部幅Ｄの略中央部より上方に設けられる。また、第１直線部Ｊ１と円弧部Ｊ２の境界部Ｉ４は、先端部Ｉにおける幅寸法の略中央部に位置するよう設けられる。また、円弧部Ｊ２は、大きさの異なる複数の円弧から形成することもできるし、中心Ｒ０は、基部幅Ｄの略中央部に設けることもできる。更に、境界部Ｉ４は、先端部Ｉにおける幅寸法の略中央部より上方に位置するよう設けることもできる。
【００２６】
更に、横刃部３における先端部Ｉの形状において、第２領域Ｉ２は、例えば、図３に示すように、第１領域Ｉ１を形成する第１直線部Ｊ１から連続し、更に内側方向へ屈曲して先端部Ｉの上端Ｉ５を通る第２直線部Ｊ３とすることもできる。このとき、第１直線部Ｊ１と第２直線部Ｊ３の境界部Ｉ４は、先端部Ｉにおける幅寸法の略中央部より上方に位置するよう設けられる。また、境界部Ｉ４は、先端部Ｉの下端Ｉ３を通り、横刃湾曲開始部Ｇに平行な仮想線Ｇ１に近接するよう設けられる。また、第２直線部Ｊ３は、複数の直線から形成することもできる。更に、境界部Ｉ４は、先端部Ｉにおける幅寸法の略中央部に位置するよう設けることもできる。
【００２７】
そして、このような横刃部３を横刃湾曲開始部Ｇにて湾曲させることで、先端部Ｉにおける下端Ｉ３を湾曲高さＨの基点とすることができる。また、湾曲前における横刃部３の先端部Ｉの上端Ｉ５は、下端Ｉ３を通る横刃湾曲開始部Ｇに平行な仮想線Ｇ１より内側方向（基部１側）に位置するよう設けられ、第１領域Ｉ１を形成する第１直線部Ｊ１の上端部（すなわち、境界部Ｉ４）が先端部Ｉにおける幅寸法の略中央部又は略中央部より上方に位置するよう設けられる。
【００２８】
これにより、横刃部３における先端部Ｉの上端Ｉ５を平面視における基準面側へ位置させることができ、図２に示すように、横刃部３における刃側の摩耗が進行した場合であっても、横刃部３の刃縁先端部Ｐが形成する土壌切削後の耕盤表面Ｖ２に横刃部３の外側面が早期に接触するのを防止することができる（同図中、Ｖ１は、従来の耕耘爪における耕盤表面Ｖ１と同様である。）。
【００２９】
また、横刃部３の先端部Ｉにおいて、第１領域Ｉ１を先端部Ｉにおける幅寸法の少なくとも略中央部に至るまで十分に確保することができるので、横刃部３における刃側の摩耗が進行した場合であっても、隣接して設置される耕耘爪との所定間隔を確保することができ、作業性の低下を抑制することができる。
【００３０】
（側面視の全体形状と耕耘逃げ長さＡの比率）
側面視における耕耘爪の全体形状は、図１に示すように、縦刃部２の最下縁から横刃部刃縁の横方向先端位置Ｏまでの鉛直距離を耕耘逃げ長さＡとし、基部の横方向後端位置Ｌから横刃部の刃縁先端部Ｐまでの水平距離を全横長さＢとし、基部１の下縁から横刃部の頂部Ｑまでの鉛直距離を全縦長さＣとしたとき、耕耘逃げ長さＡと全横長さＢと全縦長さＣの比率は、１対５〜３０対２〜１３程度が好ましい。また、耕耘逃げ長さＡと基部幅Ｄの比率は、１対１．５〜１２程度、更には１対３〜１０程度が好ましい。
【００３１】
（側面視の全体形状と横刃部先端幅Ｅの比率）
また、同図に示すように、横刃部刃縁の横方向先端位置Ｏから横刃部の頂部Ｑまでの距離を横刃部先端幅Ｅとしたとき、基部幅Ｄと横刃部先端幅Ｅと全縦長さＣの比率は、１対１〜２対１〜２程度が好ましい。
【００３２】
すなわち、横刃部先端幅Ｅは、基部幅Ｄと略同等か或いは基部幅Ｄより僅かに大きくなる。これにより、基部１から横刃部３にかけての湾曲前の平面板を刃縁側において横刃部先端幅Ｅが狭くなるように切断して刃縁の湾曲形状を形成するのではなく、側面視の上方に刃縁を湾曲させることができる。また、耕耘時の摩耗が激しい横刃湾曲開始部Ｇから横刃部３の先端部Ｉに至るまでの幅寸法が幅広に形成されるので、耕耘爪の寿命を延ばすことができる。更には、耕耘時の放てき力が増加するので、反転性、すきこみ性、砕土性、均平性を向上することができる。
【００３３】
（側面視刃縁形状）
縦刃部２の刃縁始端Ｎから横刃部刃縁の横方向先端位置Ｏまでに亘る側面視刃縁形状は、連続的に曲率変化させた、全体として非円弧の曲線からなる。尚、当該曲線は、全体として非円弧であれば複数の円弧曲線が連なってなるものでもよい。また、刃縁始端Ｎにおける近傍の縦刃部２の刃幅を除いて、刃幅Ｆと基部幅Ｄの比率は、１対３〜１０程度が好ましい。すなわち、基部幅Ｄとの比率でいう刃幅Ｆとは、最大刃幅を示すものである。
【００３４】
本耕耘爪においては、同図に示すように、湾曲方向の一側面のみに刃を形成した片刃爪であるが、この他、両側面から刃を形成した両刃爪、湾曲方向と反対方向の一側面のみに刃を形成した片刃爪としてもよい。
【００３５】
（湾曲）
図１に示すように、横刃部３は、横刃湾曲開始部Ｇを介して、基準面に対して湾曲曲率半径ｒによって湾曲され、横刃湾曲開始部Ｇに直交する断面視において鈍角となる湾曲角度α１で湾曲される。また、基準面からの横刃部３の湾曲高さＨと全横長さＢの比率は、１対１．１〜２．５程度が好ましい。
【００３６】
横刃湾曲開始部Ｇは、図１及び図３に示すように直線状からなるか、又は図４に示すように、基部１側に位置する折曲中心Ｒ２を中心とした折曲半径Ｒ３の円弧状からなる。
【００３７】
横刃湾曲開始部Ｇを直線とした際には、図１及び図３に示すように、側面視において、基部１の横方向後端位置Ｌから横刃湾曲開始部Ｇが基部１の最下縁を通る点までの湾曲開始水平距離Ｕとしたとき、当該湾曲開始水平距離Ｕと全横長さＢとの比率は、１対１．１〜３程度が好ましい。更に、基部１の最下縁を通る線と横刃湾曲開始部Ｇとのなす角度α２は鋭角とされる。
【００３８】
また、横刃湾曲開始部Ｇを円弧とした際には、図４に示すように、側面視において、基部１の下縁後端位置Ｍから折曲中心Ｒ２までの水平距離Ｔ１としたとき、全横長さＢと当該水平距離Ｔ１と折曲半径Ｒ３の比率は、１対０．０７〜３対０．５〜３．５程度、更には１対０．０８〜１対０．５〜１．５程度が好ましい。
【００３９】
また、基部１の下縁から折曲中心Ｒ２までの鉛直距離をＴ２としたとき、当該鉛直距離Ｔ２と基部幅Ｄの比率は、１対２〜８０程度が好ましい。すなわち、折曲中心Ｒ２の位置は、基部幅Ｄの略中央部より下方に設けられる。このとき、折曲中心Ｒ２の位置は、基部幅Ｄの略中央部より下方であればよい趣旨であり、折曲中心Ｒ２の位置が基部１の下縁よりも下方に位置するものであってもよいのは勿論である。このように、折曲半径Ｒ３の円弧からなる横刃湾曲開始部Ｇで湾曲される横刃部３は、横刃湾曲開始部Ｇに直交する断面視において鈍角に湾曲される。
【００４０】
（肉厚）
耕耘爪の肉厚においては、基部１から横刃部３にかけて、順次厚さが薄くなるよう設定される。具体的には、基部１から横刃部３の先端部Ｉにかけて、順次厚さが薄くなるよう設定される。図１の側面視において、基部１の肉厚を基部厚Ｋとし、横刃部３における先端部Ｉの肉厚を横刃部先端厚Ｋ１としたとき、基部厚Ｋと横刃部先端厚Ｋ１の比率は、１対０．６〜１が好ましい。横刃部３の先端部Ｉにおける耐摩耗性を考慮する際には、１対０．５〜１とすることが好ましい。
【００４１】
これにより、基部１への応力を緩和させることができるので、耕耘爪の折損、曲りに対する強度を向上させることができる。また、横刃部３の先端部Ｉにかけて、適度なバネ性が付加されることになるので、耕耘振動の低減につながり、取付けボルトやフランジＳ０、回転爪軸Ｓ、並びにロータリ本体の破損の防止につながる。更には、当該バネ性により、耕土に適度な反力を付与することから、反転性、すきこみ性、砕土性の向上にもつながる。
【００４２】
以上、説明した本発明に係る耕耘爪によれば、横刃部３が横刃湾曲開始部Ｇに直交する断面視において鈍角をなして湾曲されるとともに、側面視において、湾曲前における横刃部３の先端部Ｉが横刃部３の下端Ｉ３から上方へ延びる第１領域Ｉ１と、第１領域Ｉ１から連続し、内側方向へ湾曲又は屈曲して上端Ｉ５へ延びる第２領域Ｉ２とから形成される。これにより、横刃部３の湾曲と相俟って、先端部Ｉの上端Ｉ５を平面視における基準面側へ位置させることができ、土壌への打込み時における負荷変動を抑え、耕耘振動や消費馬力を低減するとともに、放てき性、反転性、深耕性に優れた耕耘爪とすることができる。
【００４３】
また、耕耘時において、土壌に対する耕耘爪における刃縁の接触位置を緩やかに先端部Ｉ側へ移行させるので、切削中の土塊が刃縁により弾かれ難くなるので、土塊の均一性や整地性が向上する。
【００４４】
更には、耕耘時において、土壌に対する耕耘爪における刃縁の接触位置を緩やかに先端部Ｉ側へ移行させるので、藁、草等が刃縁に接触した場合であっても、藁、草等を先端側へスムーズに排出させ、且つ裁断することができる。結果として、刃縁に巻付きが起こりにくく、すきこみ性に優れた耕耘爪となる。
【００４５】
当該発明は、上述の実施形態の構成に限定されるものではなく、形状、寸法、材質等を適宜変更して実施することが可能である。例えば、横刃部３の先端部Ｉは、平面視において、基部１の面を基準として一方向に湾曲する基準面から先端部Ｉにおける幅寸法の略中央部までの寸法を湾曲高さＨとすることもできる。
【００４６】
より詳細には、横刃部３の先端部Ｉは、湾曲高さＨの基点となる箇所に向けて、横刃部３における先端Ｉの下端Ｉ３から外側方向に張り出される第１領域Ｉ１と、当該基点となる第１領域Ｉ１の上端部から内側方向へ向けて、湾曲又は屈曲することで連続して形成される第２領域Ｉ２とを備えて形成される。また、第１領域Ｉ１と第２領域Ｉ２との境界部Ｉ４は、先端部Ｉにおける幅寸法の略中央部又は略中央部より上方に位置するよう設定される。更に、先端部Ｉの上端Ｉ５は、先端部Ｉにおける幅寸法の略中央部を通り、横刃湾曲開始部Ｇに平行な仮想線Ｇ１より基部１側の内側方向に位置するよう設けられる。第１領域Ｉ１と第２領域Ｉ２は、１つ又は複数の直線、円弧等を適宜組み合わせることで形成される。
【００４７】
具体的には、図５に示すように、湾曲前の横刃部３において、第１領域Ｉ１と第２領域Ｉ２とを連続する１つの円弧部Ｊ４から形成するとともに、横刃湾曲開始部Ｇに平行な仮想線Ｇ１が先端部Ｉにおける幅寸法の略中央部に接するようにして形成する。当該先端部Ｉは、基部１側に位置する中心Ｒ４を中心とした半径Ｒ５の円弧からなり、当該中心Ｒ４は、基部幅Ｄの略中央部より上方に設けられる。また、円弧部Ｊ４は、大きさの異なる複数の円弧から形成することもできるし、中心Ｒ４は、基部幅Ｄの略中央部に設けることもできる。更に、境界部Ｉ４は、先端部Ｉにおける幅寸法の略中央部又は略中央部より上方に位置するよう設けることもできる。
【００４８】
そして、このような横刃部３を横刃湾曲開始部Ｇにて湾曲させることで、先端部Ｉにおける幅寸法の略中央部を湾曲高さＨの基点とすることができる。これにより、上記実施例と同様にして、横刃部３における先端部Ｉの上端Ｉ５を平面視における基準面側へ位置させることができるとともに、横刃部３における刃側の摩耗が進行した場合であっても、横刃部３の刃縁先端部Ｐが形成する土壌切削後の耕盤表面に横刃部３の外側面が早期に接触するのを防止することができる。
【００４９】
また、横刃部３の先端部Ｉにおいて、第１領域Ｉ１を横刃部３の下端Ｉ３から幅寸法の少なくとも略中央部に至るまで十分に確保することができるので、横刃部３における刃側の摩耗が進行した場合であっても、隣接して設置される耕耘爪との所定間隔を確保することができ、作業性の低下を抑制することができる。
【００５０】
また、例えば、図６に示すように、１つ又は複数の円弧と１つ又は複数の直線を組み合わせて形成することもできる。係る際においては、例えば、先端部Ｉの形状は、下端Ｉ３から湾曲高さＨの基点となる先端部Ｉにおける幅寸法の略中央部までの第１領域Ｉ１を形成する円弧部Ｊ５と、円弧部Ｊ５から連続して上端Ｉ５に至るまでの第２領域Ｉ２を形成する直線部Ｊ６からなる。
【００５１】
円弧部Ｊ５は、湾曲前の横刃部３における先端部Ｉの下端Ｉ３を通る中心Ｒ６を中心とした半径Ｒ７からなり、直線部Ｊ６は、円弧部Ｊ５に連続し、内側方向に延びて先端部Ｉの上端Ｉ５を通るものである。このとき、中心Ｒ６は、基部幅Ｄの略中央部より上方に設けられる。また、円弧部Ｊ５と直線部Ｊ６の境界部Ｉ４は、先端部Ｉにおける幅寸法の略中央部より上方に位置するよう設けられる。また、中心Ｒ６は、基部幅Ｄの略中央部に設けることもできるし、境界部Ｉ４は、先端部Ｉにおける幅寸法の略中央部に位置するよう設けることもできる。
【００５２】
更に、例えば、図７に示すように、複数の直線を組み合わせて形成することもできる。係る際には、例えば、先端部Ｉの形状は、下端Ｉ３から湾曲高さＨの基点となる先端部Ｉにおける幅寸法の略中央部までの第１領域Ｉ１を形成する第１屈曲部Ｊ７と、第１屈曲部Ｊ７から連続して上端Ｉ５に至るまでの第２領域Ｉ２を形成する第２屈曲部Ｊ８からなる。
【００５３】
第１屈曲部Ｊ７は、湾曲前の横刃部３における先端部Ｉの下端Ｉ３を通り、外側方向に張り出される第１直線と、第１直線に連続し、横刃湾曲開始部Ｇに平行な第２直線とからなる。また、第２屈曲部Ｊ８は、第１屈曲部Ｊ７に連続し、横刃湾曲開始部Ｇに平行な第３直線と、第３直線に連続し内側方向に延びて先端部Ｉの上端Ｉ５を通る第４直線とからなる。このとき、第３直線と第４直線が先端部Ｉにおける幅寸法の略中央部に位置するよう設定される。また、第１屈曲部Ｊ７と第２屈曲部Ｊ８の境界部Ｉ４は、先端部Ｉにおける幅寸法の略中央部に位置するよう設けられる。また、境界部Ｉ４は、先端部Ｉにおける幅寸法の略中央部より上方に位置するよう設けることもできる。
【００５４】
このようにして形成される横刃部３の先端部Ｉは、湾曲高さＨの基点となる箇所が横刃部３における先端部Ｉの幅寸法の略中央部となるよう形成されていればよい趣旨である。また、第１領域Ｉ１と第２領域Ｉ２の境界部Ｉ４は、先端部Ｉにおける幅寸法の略中央部又は略中央部より上方に位置するよう設定されていればよく、先端部Ｉの上端Ｉ５は、先端部Ｉにおける幅寸法の略中央部を通り、横刃湾曲開始部Ｇに平行な仮想線Ｇ１より基部１側の内側方向に位置するよう設けられていればよい趣旨である。更に、横刃湾曲開始部Ｇは、直線状からなるものであってもよいし、円弧状からなるものであってもよいのは勿論である。
【００５５】
また、一部構成を省略することができるし、一部抽出した構成とすることができるのは勿論である。
【符号の説明】
【００５６】
１    基部
２    縦刃部
３    横刃部
Ａ    耕耘逃げ長さ
Ｂ    全横長さ
Ｃ    全縦長さ
Ｄ    基部幅
Ｅ    横刃部先端幅
Ｆ    刃幅
Ｇ    横刃湾曲開始部
Ｈ    湾曲高さ
Ｉ    先端部
Ｉ１  第１領域
Ｉ２  第２領域
Ｉ３  下端
Ｉ４  境界部
Ｉ５  上端
【要約】
【課題】  土壌への打込み時における負荷変動を抑え、耕耘振動や消費馬力を低減するとともに、放てき性、反転性、深耕性に優れた耕耘爪を提供する。
【解決手段】回転爪軸のフランジに装着される基部と、側面視における基部から横方向に連なって伸びる横刃湾曲開始部までの平面板から形成され、基部の下縁から段差を介して刃縁を備える縦刃部と、縦刃部から横刃湾曲開始部を境として連なって伸び、先端部側にかけて基部の幅寸法以上の幅寸法を備えて形成し、側面視にて上方へ緩やかに湾曲して形成されるとともに、横刃湾曲開始部を境として一方に湾曲される湾曲板から形成される横刃部とを備えてなり、横刃部は、横刃湾曲開始部に直交する断面視において鈍角をなして湾曲され、湾曲前における横刃部の先端部は、横刃部の下端から上方へ延びる第１領域と、第１領域から連続し、内側方向へ湾曲又は屈曲して上端へ延びる第２領域とを備えることを特徴とする耕耘爪。
【選択図】  図１【図１】
0005804466.tif 000002
【図２】
0005804466.tif 000003
【図３】
0005804466.tif 000004
【図４】
0005804466.tif 000005
【図５】
0005804466.tif 000006
【図６】
0005804466.tif 000007
【図７】
0005804466.tif 000008
【図８】
0005804466.tif 000009
【図９】
0005804466.tif 000010